(57)【要約】【課題】本発明は、複数種類の帳票が混在している文字読取において、リジェクト文字の訂正処理を効率よく行うことができるようにすることを目的とする。【解決手段】リジェクト文字の訂正処理をする帳票の種類を指定する手段を設けることで、操作者（オペレータ）は、この指定した種類の帳票の訂正処理を連続して行う。従って、複数種類の帳票が混在した文字読取において、連続して同一種類の帳票だけのリジェクト文字の訂正処理を行うことができるため、訂正処理の効率が大幅に向上することができる。【選択図】　図１
2004118380.tif 000002
【特許請求の範囲】
【請求項１】
複数種類の帳票を混在して文字認識する文字認識装置において、
リジェクト文字の訂正処理をする帳票の種類を指定するための帳票指定手段と、
この指定された種類の帳票におけるリジェクト文字の訂正処理を行うリジェクト訂正処理手段とを具備することを特徴とする文字認識装置。
【請求項２】
複数種類の帳票が混在した複数の帳票から成るバッチ単位で文字認識する文字認識装置において、
前記バッチ単位に帳票の文字認識をする文字認識手段と、
前記文字認識した各帳票の種類を判別する帳票種類判別手段と、
前記文字認識手段による各帳票の文字認識結果と前記帳票種類判別手段による各帳票の種類の判別結果とを対応させて各バッチ毎にファイルとして保存する中間ファイル保存手段と、
リジェクト文字の訂正処理をする帳票の種類を指定するための帳票指定手段と、
この帳票指定手段で指定された種類の帳票のリジェクト文字を含む文字認識結果を前記中間ファイルから前記帳票の種類の判別結果に基づいて抽出し、この抽出された文字認識結果におけるリジェクト文字の訂正をするリジェクト文字訂正処理手段とを具備することを特徴とする文字認識装置。
【請求項３】
複数種類の帳票を複数のグループ分けし、前記帳票指定手段は、リジェクト文字の訂正処理をする帳票の種類の指定を前記グループ分けしたグループで指定することを特徴とする請求項１乃至請求項２記載の文字認識装置。
【請求項４】
複数種類の帳票を混在して文字認識する文字認識装置において、
リジェクト文字の訂正処理をする帳票の種類を指定し、
この指定された種類の帳票におけるリジェクト文字の訂正処理を行うことを特徴とするリジェクト文字の訂正処理方法。
【請求項５】
複数種類の帳票が混在した複数の帳票から成るバッチ単位で文字認識する文字認識装置において、
前記バッチ単位に帳票の文字認識をする文字認識し、
前記文字認識した各帳票の種類を判別する帳票種類判別し、
前記文字認識手段による各帳票の文字認識結果と前記帳票種類判別手段による各帳票の種類の判別結果とを対応させて各バッチ毎にファイルとして保存する中間ファイル保存し、
リジェクト文字の訂正処理をする帳票の種類を指定するための帳票指定し、
この帳票指定手段で指定された種類の帳票のリジェクト文字を含む文字認識結果を前記中間ファイルから前記帳票の種類の判別結果に基づいて抽出し、この抽出れた文字認識結果におけるリジェクト文字の訂正をすることを特徴とするリジェクト文字の訂正処理方法。
【請求項６】
複数種類の帳票を複数のグループ分けし、リジェクト文字の訂正処理をする帳票の種類の指定を前記グループ分けしたグループで指定することを特徴とする請求項４乃至請求項５記載のリジェクト文字の訂正処理方法。
【請求項７】
複数種類の帳票を混在して文字認識する文字認識装置において、
リジェクト文字の訂正処理をする帳票の種類を指定させ、
この指定された種類の帳票におけるリジェクト文字の訂正処理をさせることを特徴とする文字認識プログラム。
【請求項８】
複数種類の帳票が混在した複数の帳票から成るバッチ単位で文字認識する文字認識装置において、
前記バッチ単位に帳票の文字認識をする文字認識させ、
前記文字認識した各帳票の種類を判別する帳票種類判別させ、
前記文字認識手段による各帳票の文字認識結果と前記帳票種類判別手段による各帳票の種類の判別結果とを対応させて各バッチ毎にファイルとして保存する中間ファイル保存させ、
リジェクト文字の訂正処理をする帳票の種類を指定をさせ、
この帳票指定手段で指定された種類の帳票のリジェクト文字を含む文字認識結果を前記中間ファイルから前記帳票の種類の判別結果に基づいて抽出し、この抽出れた文字認識結果におけるリジェクト文字の訂正をさせることを特徴とする文字認識プログラム。
【請求項９】
複数種類の帳票を複数のグループ分けし、リジェクト文字の訂正処理をする帳票の種類の指定を前記グループ分けしたグループで指定させることを特徴とする請求項７乃至請求項８記載の文字認識プログラム。
【発明の詳細な説明】
【０００１】
【発明の属する技術分野】
本発明は、光学的文字読取装置（　Ｏｐｔｉｃａｌ　Ｃｈａｒａｃｔｅｒ　Ｒｅａｄｅｒ：ＯＣＲ　）における読取不能文字（リジェクト文字）の訂正処理の効率化に関する。
【０００２】
【従来の技術】
光学的文字読取装置において、文字認識ができなかった読取不能文字（リジェクト文字）が生じた場合には、認識処理後に人手により正しい文字を入力する訂正処理が行われる。一般に文字読取では複数の帳票をひとまとまりにして一度に文字認識処理を行う。このひとまとまりの帳票をバッチと呼んでいる。従って、訂正処理もバッチ単位で行われている。このバッチ単位のリジェクト文字の訂正処理は、リジェクト文字の生じた帳票がバッチ内における帳票の文字認識順に処理対象として選択されて順次行われる。
【０００３】
【発明が解決しようとする課題】
従って、１バッチ内に複数種類の帳票が混在している場合には、訂正処理を行うオペレータ（訂正担当者）は、種類の異なる複数種の帳票を不規則な順番で訂正処理することになる。このため、１枚１枚毎にその帳票の種類に応じた訂正処理が必要となり、訂正オペレータの負担が大きく訂正処理の効率が大変悪かった。
本発明は、複数種類の帳票が混在しているバッチに対するリジェクト文字の訂正処理を効率よく行うことができる文字読取装置を提供することを目的とする。
【０００４】
【課題を解決するための手段】
本発明は、複数種類の帳票を混在して文字認識する文字認識装置において、リジェクト文字の訂正処理をする帳票の種類を指定するための帳票指定手段と、この指定された種類の帳票におけるリジェクト文字の訂正処理を行うリジェクト訂正処理手段とを具備することを特徴とする。
この構成によれば、複数種類の帳票が混在した文字読取において、連続して同一種類の帳票だけのリジェクト文字の訂正処理を行うことができるため、訂正処理の効率が大幅に向上することができる。
【０００５】
【発明の実施の形態】
（第１の実施形態）
以下図面を用いて、本発明の第１の実施形態であるスタンドアロンタイプの文字認識装置について詳細に説明する。図１は、本発明の第１の実施形態における文字認識装置のシステム構成を示す図である。図１にスキャナー１１と、文字認識ソフトウェア１３をインストールしたパーソナルコンピュータ１２と、磁気ディスク装置１４とから構成される文字認識システム１０の構成を示す。パーソナルコンピュータ１２には、文字認識ソフトウェア１３がインストールされ、実行されるよう構成されている。パーソナルコンピュータ１２には、図示を省略するがキーボード、マウスなどの入力装置、液晶表示装置などの表示装置、磁気ディスク装置やフロッピーディスク装置等の記憶装置が実装されている。
【０００６】
文字認識ソフトウェア１３は、スキャナー１１を制御して文字認識対象の帳票の帳票イメージを読み取りさせる機能、このスキャナー１１で読み取った帳票イメージに基づいて文字認識を行う機能、帳票イメージとその帳票イメージに対する文字認識結果とを対応付けて１バッチ単位に中間ファイルとして磁気ディスク装置１４に一時的に格納する機能、文字認識結果にリジェクト文字が含まれている場合には、そのリジェクト文字を訂正する訂正機能、最終的な文字読取結果を所定のフォーマット形式でファイルに保存して出力する出力機能を持つソフトウェアである。文字認識ソフトウェア１３は、帳票イメージから文字認識する際に、その読取対象の帳票の種類を認識（識別）して、その帳票の種類の認識結果を帳票イメージとその帳票イメージに対する文字認識結果とともに中間ファイルに保存する。
【０００７】
帳票の種類の認識（識別）は、次のような方法にて実現できる。第１には、帳票の所定の固定的な位置にその帳票の種類を識別するためのＩＤ番号や文字情報（帳票名など）を記録しておき、そのＩＤ番号や文字情報を文字認識することで識別する。第２には、その帳票の罫線の位置や表題文字とその位置等のフォーマット情報を帳票の種類別に予め登録しておき、文字認識対象の帳票のイメージから取得した罫線の位置や表題文字とを照合することで判別する。第３には、帳票の種類別に帳票の大きさ（縦横の長さ）を予め登録しておき、文字認識対象の帳票の大きさ（縦横の長さ）と照合することで判別する。又は、これら第１乃至第３の方法の組み合わせにて判別する。
【０００８】
文字認識ソフトウェア１３の訂正機能は、リジェクト文字が生じた文字読取対象の行又はフィールドの全ての文字認識結果とその行又はフィールドのイメージ或いはその帳票全体のイメージとを表示装置に対比させる形式で表示させ、これらの表示に基づいて操作者（オペレータ）により正しい認識結果を入力するものである。
【０００９】
この第１の実施形態は図２のような構成でも良い。図２はスキャナー一体型文字認識装置のシステム構成を示す図である。図２にスキャナー一体型文字認識装置２１と、文字認識制御ソフトウェア２３をインストールしたパーソナルコンピュータ２２と、磁気ディスク装置２４とから構成される文字認識システム２０の構成を示す。スキャナー一体型文字認識装置２１は、スキャナーと文字認識装置とを一体化したもので、帳票の帳票イメージを取得する機能、取得した帳票イメージに基づいて文字認識する機能及び帳票の種類の認識する機能とを持つ。
【００１０】
文字認識制御ソフトウェア２３は、スキャナー一体型文字認識装置２１を制御して文字認識対象の帳票イメージを読み取り、その帳票イメージに基づいて文字認識及び帳票の種類の識別をさせる機能、スキャナー一体型文字認識装置２１から受け取った帳票イメージとその帳票イメージに対する文字認識結果及び帳票種類の識別結果とを対応付けて１バッチ単位に中間ファイルとして磁気ディスク装置２４に一時的に格納する機能、文字認識結果にリジェクト文字が含まれている場合には、そのリジェクト文字を訂正する訂正機能、最終的な文字読取結果を所定のフォーマット形式でファイルに保存して出力する出力機能を持つソフトウェアである。
【００１１】
以下、図３に示したフローチャートに基づいて、文字認識ソフトウェア１３又は文字認識制御ソフトウェア２３におけるリジェクト文字の訂正処理の動作を説明する。以後、図１の構成についてその動作を説明するが、図２の構成においても同様である。
【００１２】
訂正処理を行う操作者（オペレータ）は、文字認識ソフトウェア１３の処理を訂正処理モードに設定する。スタンドアロンタイプの文字認識装置の場合には、文字認識とリジェクト文字の訂正処理とは同時に実施できないため、文字認識がされていない時間帯に訂正処理を行うものである。
【００１３】
訂正処理のはじめには、図４に示すように訂正処理をする帳票の種類を指定するための入力画面を表示する。図４では、帳票の種類名とその種類名の左側にラジオボタン４０を表示している。訂正処理を行う対象の帳票名に対応するラジオボタン４０をマウスでクリックすることで訂正対象の帳票の種類を指定する。図４では、訂正対象の帳票として「帳票３」が指定され選択された状態を図示している。即ち、帳票種類名「帳票３」に対応するラジオボタン４０がマウスでクリックされた結果として、黒丸「・」が表示されている。その後、実行ボタン４１をマウスでクリックすることで訂正対象の帳票を選択する（ステップＳ１）。
【００１４】
この訂正対象の帳票の選択の結果、図５に示すようなバッチ毎の訂正処理状況を示す画面表示を表示装置に行う。図５では、磁気ディスク装置１４に保存されている中間ファイルを参照して各バッチ毎にそのバッチの状態（ステータス）と、そのバッチにおいてリジェクトが発生している帳票の種類を表示している。文字認識が終了した後のバッチの状態は、「訂正待ち」の状態と「出力待ち」の２つの状態がある。「訂正待ち」の状態とは、リジェクト訂正が終了していない状態又はチェックデジットによるチェックや演算チェック等により文字認識結果の正当性のチェックが未実施の状態のことである。また、「出力待ち」の状態とは、全ての文字認識の誤りが訂正され、最終的な文字読取結果を所定のフォーマット形式でファイルに保存して出力する処理が終了していない状態のことである。各帳票にリジェクト文字が発生しているか否の判別は、文字認識結果として認識不能文字が発生したときにリジェクト文字を示すコード情報を付与しておけば、このコード情報を検索することで行うことでできる。
【００１５】
訂正処理において、リジェクトは発生していないがチェックデジットによるチェックや演算チェック等により文字認識結果の正当性のチェックが未実施の状態のバッチが選択された場合には、これらのチェックが実施される。これらのチェックで文字認識誤りが発見された場合には、その訂正処理が実施される。更にこれらのチェックで文字認識誤りが発見されなかった場合にでも、そのバッチに対して全件照合の指定がされている場合には、全ての帳票の文字認識結果を原帳票のイメージとを照合して、文字認識誤りがないかをチェックする。
【００１６】
図５に図示した表示画面を参照して、どのバッチの訂正処理をするのか訂正処理対象のバッチを選択する。訂正処理対象として選択したいバッチ名をマウスでクリックした後、実行ボタン５１をマウスでクリックすることでバッチを選択する（ステップＳ２）。このとき、選択するバッチの数は、１つか複数かを任意に選択できる。
【００１７】
続いて、ステップＳ３に進み、中間ファイルの中から選択された複数のバッチの内の１つのバッチ（選択されたバッチが１つの場合には、そのバッチ）において、選択された種類の帳票でリジェクトが発生しているすべての帳票のイメージとその文字認識結果とを取り出す（ステップＳ３）。
続いてステップＳ４に進み、指定した種類の帳票の訂正処理を行う（ステップＳ４）。表示画面の図示は省略するが、訂正処理は、リジェクト文字が生じた文字読取対象の行又はフィールドの全ての文字認識結果（リジェクト文字はそれが判別できるような例えば「？」等の記号等で表示する）とその行又はフィールドのイメージ或いはその帳票全体のイメージとを表示装置に対比させる形式で表示させ、これらの表示に基づいて操作者（オペレータ）により正しい認識結果（文字）をキー入力することで行う。このキー入力された文字は文字コードに変換され、正しい文字認識結果として中間ファイルに保存される。
【００１８】
続いてステップＳ５に進み、すべての選択した帳票の訂正処理をしたか否かを判断する（ステップＳ５）。もし、すべての選択した帳票の訂正処理が終了していなければステップＳ４に戻り、次の帳票の訂正処理をする（ステップＳ４）。もし、すべての選択した帳票の訂正処理が終了していれば、ステップＳ６へ進む。
【００１９】
続くステップＳ６では、選択したすべてのバッチにおいて、訂正処理が終了したか否かを判断する（ステップＳ６）。もし、すべてのバッチの訂正処理が終了していなければステップＳ３に戻り、次の選択されたバッチの中から選択された種類の帳票でリジェクトが発生しているすべての帳票のイメージとその文字認識結果とを取り出す（ステップＳ３）。もし、すべてのバッチの訂正処理が終了していれば、訂正処理を終了する。
【００２０】
以上の説明では選択したバッチの中で指定した種類の帳票の訂正処理をする場合の動作を説明した。しかし、これに限定せず、次のような処理でも良い。即ち、バッチを選択せずに訂正処理をする帳票だけを指定して訂正処理を行っても良い。この場合には、バッチの範囲を超えて指定された種類の帳票でリジェクトが発生しているすべての帳票の訂正処理が終了するまで継続する処理方法である。勿論すべての訂正処理が終了する前に訂正処理を中断する仕組みを組み込むことが必要である。本発明では指定した種類の帳票だけの訂正処理を連続して行うことがポイントであり、その範囲がバッチ内かバッチの範囲を超えるかはシステム運用の方針に基づいて決定すればよい。
【００２１】
（第２の実施形態）
次に本発明の第２の実施形態であるマルチコレクションタイプの文字認識システムについて説明する。図６にマルチコレクションタイプの文字認識システム６０を図示した。この文字認識システム６０は、ＬＡＮ（　Ｌｏｃａｌ　Ａｒｅａ　Ｎｅｔｗｏｒｋ　）６３を介して制御サーバー６１、文字認識ソフトウェア６６をインストールしたパーソナルコンピュータ６５、訂正端末Ａ６７、訂正端末Ｂ６８が相互に接続されたネットワーク構成になっている。
制御サーバー６１には、中間ファイルを格納する磁気ディスク装置６２が接続されている。また、パーソナルコンピュータ６５には、スキャナー６４が接続されている。スキャナー６４は、第１の実施形態で説明した図１に図示したスキャナー１１と同一のものである。
【００２２】
文字認識ソフトウェア６６は、スキャナー６４を制御して文字認識対象の帳票の帳票イメージを読み取りさせる機能、このスキャナー６４で読み取った帳票イメージに基づいて文字認識を行う機能、帳票イメージとその帳票イメージに対する文字認識結果とを対応付けて１バッチ単位に又は１帳票毎に中間ファイルとして制御サーバー６１に転送する機能を持つ。更に文字認識ソフトウェア６６は、帳票イメージから文字認識する際に、その読取対象の帳票の種類を認識（識別）して、その帳票の種類の識別結果を帳票イメージとその帳票イメージに対する文字認識結果とともに中間ファイルに格納する機能及び最終的な文字読取結果を所定のフォーマット形式でファイルに保存して出力する出力機能を持つ。従って、制御サーバー６１に転送される中間ファイルには、第１の実施形態で説明したものと同様に帳票種類を示す情報が含まれている。従って、文字認識ソフトウェア６６をインストールし、これを実行するパーソナルコンピュータ６５は、このシステムにおける文字認識端末としての機能を受け持つ。
【００２３】
制御サーバー６１は、パーソナルコンピュータ６５から転送を受けた中間ファイルを磁気ディスク装置６２に保存する機能、文字認識結果にリジェクト文字が含まれている場合には、訂正端末と共同してそのリジェクト文字を訂正する訂正機能を持つ。
【００２４】
訂正端末Ａ６７、訂正端末Ｂ６８は、制御サーバー６１の制御の下にリジェクト文字の訂正処理を行うための専用端末で、図示を省略するがキーボード、マウスなどの入力装置、液晶表示装置などの表示装置、磁気ディスク装置やフロッピーディスク装置等の記憶装置が実装されている。図６において訂正端末は２台だけ図示したが、システムの仕様に合わせて１台でも良く、又は３台以上の多数台を設けても良い。
【００２５】
この図６に示した文字認識システムでは、パーソナルコンピュータ６５における文字認識処理、及び制御サーバー６１を介して磁気ディスク装置６２に中間ファイルを格納する処理と、制御サーバー６１と訂正端末による訂正処理とは並行してその実行が可能である。
以下、図７に示したフローチャートに基づいて、制御サーバー６１と訂正端末Ａ６７とによるリジェクト文字の訂正処理の動作を説明する。訂正端末Ａ６７において、操作者（オペレータ）が制御サーバー６１に訂正処理の要求をすることで処理が開始される。
【００２６】
はじめに、訂正端末Ａ６７の表示装置には、図４に示すような訂正処理をする帳票の種類を指定し選択するための入力画面が表示される。そして、この図４に図示した入力画面において、訂正対象の帳票を選択する（ステップＴ１）。この帳票の選択結果は、制御サーバー６１に伝達される。このステップＴ１における具体的な帳票の選択動作は、第１の実施形態において図３のステップＳ１で説明した場合と同一であり、詳しい説明は省略する。
【００２７】
制御サーバー６１は、この帳票の選択結果に基づいて磁気ディスク装置６２に保存されている中間ファイルを参照して、リジェクトが発生している選択された帳票を検索し、その結果を訂正端末６７に転送する。訂正端末６７では、制御サーバー６１から転送を受けた検索結果を図８に図示したように画面表示する（ステップＴ２）。図８に図示した画面では、選択された「帳票３」という種類の帳票においてリジェクトが発生している状況を表示している。図８によれば、リジェクトが発生している帳票３は、バッチ名「バッチ２」において５枚、バッチ名「バッチ７」において１３枚存在することが表示されている。
【００２８】
続いて、この図８の表示画面を参照して訂正処理をするバッチを選択する（ステップＴ３）。図８では、バッチ名の左側にラジオボタン８０を表示している。訂正処理を行う対象のバッチ名に対応するラジオボタン８０をマウスでクリックすることで訂正対象の帳票の種類を指定する。図８では、訂正処理をするバッチとして「バッチ２」が指定され選択された状態を図示している。即ち、バッチ名「バッチ２」に対応するラジオボタン４０がマウスでクリックされた結果として、黒丸「・」が表示されている。その後、実行ボタン８１をマウスでクリックすることで訂正対象の帳票を選択する（ステップＴ３）。このとき、選択するバッチの数は、１つか複数かを任意に選択できる。このバッチの選択結果は、制御サーバー６１に伝達される。
【００２９】
次いでステップＴ４に進み、制御サーバー６１は、磁気ディスク装置６２に保存されている中間ファイルを参照して、中間ファイルの中から選択された複数のバッチの内の１つのバッチ（選択されたバッチが１つの場合には、そのバッチ）において、選択された種類の帳票でリジェクトが発生しているすべての帳票のイメージとその文字認識結果とを取り出す（ステップＴ４）。
【００３０】
続いてステップＴ５に進み、選択した種類の帳票の訂正処理を行う（ステップＴ５）。この訂正処理の動作は、第１の実施形態において図３のステップＳ４の動作として説明した場合と同一のため詳しい説明は省略する。
続いてステップＴ６に進み、すべての選択した帳票の訂正処理をしたか否かを判断する（ステップＴ６）。もし、すべての選択した帳票の訂正処理が終了していなければステップＴ５に戻り、次の帳票の訂正処理をする（ステップＴ５）。もし、すべての選択した帳票の訂正処理が終了していれば、ステップＳ７へ進む。
【００３１】
続くステップＴ７では、選択したすべてのバッチにおいて、訂正処理が終了したか否かを判断する（ステップＴ７）。もし、すべてのバッチの訂正処理が終了していなければステップＴ４に戻り、次の選択されたバッチの中から選択された種類の帳票でリジェクトが発生しているすべての帳票のイメージとその文字認識結果とを取り出す（ステップＴ４）。もし、すべてのバッチの訂正処理が終了していれば、訂正処理を終了する。
【００３２】
以上の説明では訂正処理をする帳票の種類を指定した後、バッチを選択してバッチ単位に訂正処理をする場合の動作を説明した。しかし、これに限定せず、次のような処理でも良い。即ち、バッチを選択せずに訂正処理をする帳票だけを指定して訂正処理を行っても良い。これは第１の実施形態で説明したことと同様であり、以下の説明は省略する。
【００３３】
（第３の実施形態）
第３の実施形態における第１及び第２の実施形態との差異は、リジェクト文字の訂正処理の対象とする帳票の指定する方法にある。第１及び第２の実施形態では、個々の帳票を指定した。これに対して、第３の実施形態では、幾つかの帳票をグループ化し、訂正処理の対象とする帳票の指定を、これらのグループを指定することで行うことに特徴がある。グループ化する帳票としては、フォーマットが類似する帳票や文字読取する情報の種類が類似する帳票などが考えられる。しかし、グループ化する帳票の特定は、これらに限定されない。要するに、オペレータが訂正処理をするに際して、一連の訂正処理をすることで処理効率が向上するような条件にある相互に関連する帳票をグループ化すればよい。第３の実施形態では、リジェクト文字の訂正処理の対象とする帳票の指定をグループ化した帳票のグループを指定すること以外は、第１及び第２の実施形態と同じ動作となる。従って、動作説明の詳細は、省略する。
【００３４】
【発明の効果】
本発明によれば、複数種類の帳票が混在した文字読取において、連続して同一種類の帳票だけのリジェクト文字の訂正処理を行うことができるため、訂正処理の効率が大幅に向上することができる。
【図面の簡単な説明】
【図１】本発明の第１の実施形態における文字認識装置のシステム構成を示す図である。
【図２】本発明の第１の実施形態における他の文字認識装置のシステム構成を示す図である。
【図３】本発明の第１の実施形態におけるリジェクト文字の訂正処理の動作を説明するためのフローチャートを示す図である。
【図４】訂正処理状況を表示し、訂正処理をするバッチを指定するための入力画面を示す図である。
【図５】訂正処理をする帳票の種類を指定するための入力画面を示す図である。
【図６】本発明の第２の実施形態における文字認識システムの構成を示す図である。
【図７】本発明の第２の実施形態におけるリジェクト文字の訂正処理の動作を説明するためのフローチャートを示す図である。
【図８】訂正処理を指定した帳票でリジェクト文字が発生しているバッチを表示し、訂正処理をするバッチを指定するための入力画面を示す図である。
【符号の説明】
１０‥‥文字認識システム
１１‥‥スキャナー
１３‥‥文字認識ソフトウェア
１４‥‥中間ファイル
２０‥‥文字認識システム
２１‥‥スキャナー一体型文字認識装置
２３‥‥文字認識制御ソフトウェア
２４‥‥中間ファイル
【図１】
2004118380.tif 000003
【図２】
2004118380.tif 000004
【図３】
2004118380.tif 000005
【図４】
2004118380.tif 000006
【図５】
2004118380.tif 000007
【図６】
2004118380.tif 000008
【図７】
2004118380.tif 000009
【図８】
2004118380.tif 000010